(57)【要約】【課題】製作コストの低減、及び視認性の向上を図る。【解決手段】伸縮コードＳは、両端に取付部４、両端間に伸縮部１を有し、伸縮部１は、ゴム材からなり、伸縮方向に対して交差する方向に長いリング形状に形成され、当該リング形状を伸縮方向に伸縮変形可能な複数のリング部２と、各リング部２間を各リング部２を伸縮変形可能に連結するリング連結部３とを備え、伸縮部１の伸長により、各リング部２は伸長方向に対して交差する方向に長いリング形状から伸長方向に延びるリング形状に変形される。【選択図】図２
2020170606.tif 000002
【特許請求の範囲】
【請求項１】
両端に取付部、両端間に伸縮部を有し、同じ又は異なる間隔の２部材間に連結されて当該２部材を関連付けるための伸縮コードであって、
前記伸縮部は、
ゴム材からなり、
伸縮方向に対して交差する方向に長いリング形状に形成され、当該リング形状を伸縮方向に伸縮変形可能な複数のリング部と、
前記各リング部間を前記各リング部を伸縮変形可能に連結するリング連結部と、
を備え、
前記伸縮部の伸長により、前記各リング部は伸長方向に対して交差する方向に長いリング形状から伸長方向に延びるリング形状に変形される、
ことを特徴とする伸縮コード。
【請求項２】
伸縮部と各取付部は一体又は別体に形成される請求項１に記載の伸縮コード。
【請求項３】
各リング部は伸縮方向に対して交差する方向に長い円形又は角形に形成される請求項１又は２に記載の伸縮コード。
【請求項４】
各リング連結部は各リング部間において前記各リング部の長さ方向中央に形成される請求項１乃至３のいずれかに記載の伸縮コード。
【請求項５】
各リング連結部は伸縮部の伸縮方向に対して交差する方向に幅広に形成される請求項１乃至４のいずれかに記載の伸縮コード。
【請求項６】
各取付部は全体が四角形状に形成され、その略中央に取付穴が２部材に設けられる取付部の径又は幅及び長さと略同じ大きさ又は僅かに大きい大きさに形成される請求項１乃至５のいずれかに記載の伸縮コード。
【発明の詳細な説明】
【技術分野】
【０００１】
本発明は、伸縮コードに関し、特に、同じ又は異なる間隔の２部材間に連結されて当該２部材を関連付けるのに使用する伸縮コードに関する。
【背景技術】
【０００２】
電話局や通信基地局などの重要施設には、地震その他の災害により、商用電源からの電力供給が停止された場合に、電力供給をできる限り長く持続させるため、バックアップ用電源として数多くの蓄電池が設置されている。特に電話局や通信基地局では、数百個もの蓄電池がラックや架台などに縦横に並べて設置され、必要とされる蓄電容量により、多数の蓄電池がそれぞれ、縦方向又は横方向に隣接する各蓄電池の正極端子と負極端子を導電板により電気的に接続されて、直列に接続される。ところが、このような多数の蓄電池を設置された施設では、蓄電池の非接続の電極端子、つまり、導電板が接続されていない電極端子はむき出しのままで絶縁されていないことが多く、このままでは、蓄電池の取り付けや交換などこの施設での各種の作業の際に、不意に、工具などが正極端子と負極端子との間に触れて、短絡の危険性がある。また、数多くの蓄電池になると、電極端子間の接続作業も多いため、電極端子間の接続に当たって、誤った電極端子間に導電板を取り付けてしまうといった接続ミスの恐れも懸念される。
【０００３】
そこで本願発明者は、従前、蓄電池を設置された施設において、蓄電池の非接続の電極端子に被せ付けて、非接続の電極端子の短絡、感電を防止する絶縁キャップを提供すること、また、この絶縁キャップを利用して適切な電極端子間の接続を事前に示し、電極端子間の接続ミスを防止することなど、を目的として、新たな絶縁キャップを、特許文献１により、提案している。
【０００４】
この文献１の絶縁キャップは、絶縁性及び弾性を有する素材により一体に形成され、各種の電極端子の中で最も端子径の大きい電極端子の端子径よりも大きい径を有し、各種の電極端子の先端面を被覆する先端面カバー部と、先端面カバー部の周囲から、各種の電極端子の中で最も端子高さの小さい電極端子の端子高さから最も端子高さの大きい電極端子の端子高さまでの高さに合せて伸縮可能に入れ子式の蛇腹形状に延び、各種の電極端子の周囲を被覆する周囲カバー部と、先端面カバー部の電極端子の先端面に対向する一方の面の中心に、各種の電極端子の中で最も雌ねじ径の大きい電極端子の雌ねじ径よりも大きい径を有し、雌ねじ内で加圧されて各種の電極端子の中で最も雌ねじ径の小さい電極端子の雌ねじに挿入可能な径まで縮径可能な変形部を有する略筒形形状に突出され、各種の電極端子の雌ねじに挿入し弾性係合される被覆状態固定部とを備え、各種の電極端子の端子高さに応じて周囲カバー部を伸縮し、被覆状態固定部を各種の電極端子の雌ねじに挿入することにより各種の電極端子に装着固定して、先端面カバー部及び周囲カバー部で各種の電極端子を被覆絶縁するようにした。このような絶縁キャップを、蓄電池の非接続の電極端子に被せ付けることにより、非接続の電極端子の短絡、感電を防止することができ、特に、この絶縁キャップでは、メーカーによって異なるサイズの電極端子でも共通に使用することができるので、各種の電極端子への取り付けや管理を簡易にすることができる。
【０００５】
さらに、この絶縁キャップは、先端面カバー部の他方の面の中心に凸部を備え、凸部の先端縁部にフランジ及び／又は凸部の周面に貫通孔を有し、フランジ又は凸部に２つの絶縁キャップを連結するための絶縁性及び伸縮性を有するコードが取り付けられる。この伸縮式のコードは、ポリウレタンなどの絶縁性素材からなるコードをコイル状に巻いた所謂カールコードになっており、このコードの両端部には絶縁キャップの凸部に係止可能なリングが設けられる。このようにしてこの絶縁キャップを２つ絶縁性及び伸縮性を有するコードで繋いでおくことにより、このコードを利用して適切な電極端子間の接続を事前に示し、電極端子間の導電板の接続ミスを防止することができる。
【先行技術文献】
【特許文献】
【０００６】
【特許文献１】特開２０１８−９７９９７号公報
【発明の概要】
【発明が解決しようとする課題】
【０００７】
このように伸縮コードは、既述のような多くの電極端子間において２つの適切な電極端子を関連付けるのに使用できるなど、各種の機械器具において、同じ又は異なる間隔の２部材間に連結してその２部材を関連付けるのに用いることができる。
しかしながら、伸縮コードを、既述のようなカールコードとし、さらに両端部にリングを設けたものとすると、製作工程上製作が簡易でなく、製作に要するコストが増大する、という問題がある。また、カールコードの場合、２部材間が離れるほど、コードが細い紐状に延びて、コードの視認性が悪くなり、２部材間の関連付けの表示効果が低下する、という問題がある。さらに、カールコードの場合、長く延ばされると、コードに収縮方向に大きな力が生じ、コードで連結される２部材の取り付け状態が弱いと、コードに引張られて２部材の両方又は一方が取り付け位置から抜け外れる恐れがある、という問題もある。
【０００８】
本発明は、このような従来の問題を解決するもので、この種の（つまり、同じ又は異なる間隔の２部材間に連結されて当該２部材を関連付けるのに使用する）伸縮コードにおいて、製作工程上製作を簡易にしてコストの低減を図ること、２部材間が離れてコードが延ばされてもコードの視認性を高めて、２部材の関連付けの表示効果を向上させること、コードが長く延ばされても、コードの収縮方向の力を小さくし、コードで連結される２部材の取り付け状態が弱くても、コードに引張られて２部材の両方又は一方が取り付け位置から抜け外れることがないこと、を目的とする。
【課題を解決するための手段】
【０００９】
上記目的を達成するために、本発明は、
両端に取付部、両端間に伸縮部を有し、同じ又は異なる間隔の２部材間に連結されて当該２部材を関連付けるための伸縮コードであって、
前記伸縮部は、
ゴム材からなり、
伸縮方向に対して交差する方向に長いリング形状に形成され、当該リング形状を伸縮方向に伸縮変形可能な複数のリング部と、
前記各リング部間を前記各リング部を伸縮変形可能に連結するリング連結部と、
を備え、
前記伸縮部の伸長により、前記各リング部は伸長方向に対して交差する方向に長いリング形状から伸長方向に延びるリング形状に変形される、
ことを要旨とする。
【００１０】
また、この伸縮コードの各部は次のように具体化される。
（１）伸縮部と各取付部は一体又は別体に形成される。
（２）各リング部は伸縮方向に対して交差する方向に長い円形又は角形に形成される。
（３）各リング連結部は各リング部間において前記各リング部の長さ方向中央に形成される。
（４）各リング連結部は伸縮部の伸縮方向に対して交差する方向に幅広に形成される。
（５）各取付部は全体が四角形状に形成され、その略中央に取付穴が２部材に設けられる取付部の径又は幅及び長さと略同じ大きさ又は僅かに大きい大きさに形成される。
【発明の効果】
【００１１】
本発明の伸縮コードによれば、伸縮部が、ゴム材からなり、伸縮方向に対して交差する方向に長いリング形状に形成され、当該リング形状を伸縮方向に伸縮変形可能な複数のリング部と、各リング部間を各リング部を伸縮変形可能に連結するリング連結部とを備え、伸縮部の伸長により、各リング部が伸長方向に対して交差する方向に長いリング形状から伸長方向に延びるリング形状に変形されるので、簡単な構造により、製作を簡易にして製作コストの低減を図ることができ、２部材間に連結して当該２部材を関連付けるに際して、２部材間が離れてコードが延ばされても、各リング部が伸長方向に延びるリング形状に変形され、コードの視認性を高めて、２部材の関連付けの表示効果を向上させることができ、また、コードが長く延ばされても、各リング部が伸長方向に延びるリング形状に変形されることにより、コードの収縮方向の力は小さく、コードで連結される２部材の取り付け位置での取り付け状態が弱くても、コードに引張られて２部材の両方又は一方が取り付け位置から抜け外れることがない、という本発明独自の格別な効果を奏する。
【図面の簡単な説明】
【００１２】
【図１】本発明の一実施の形態による伸縮コードの構成を示す図（（ａ）は平面図（ｂ）は側面図）
【図２】同伸縮コードの使用例として、２つの適切な電極端子に被着する２つの絶縁キャップを伸縮コードで繋ぐ場合を示す図（斜視図）
【図３】同伸縮コードの作用を示す図（（ａ）は伸縮コード（伸縮部）が通常の収縮された状態を示す平面図（ｂ）は伸縮コード（伸縮部）が伸長された状態を示す平面図）
【発明を実施するための形態】
【００１３】
次に、この発明を実施するための形態について図を用いて説明する。
図１に伸縮コードを示している。なお、ここで伸縮コードは、既述のような各種の絶縁キャップに用いる伸縮コードとして例示している。
【００１４】
図１に示すように、伸縮コードＳは、両端に取付部４、両端間に伸縮部１を有し、同じ又は異なる間隔の２部材間に連結されて当該２部材を関連付けるために使用される。
【００１５】
そして、この伸縮コードＳでは、伸縮部１は、ゴム材からなり、伸縮方向に対して交差する方向に長いリング形状に形成され、当該リング形状を伸縮方向に伸縮変形可能な複数のリング部２と、各リング部２間（各取付部４とこれに隣接する各リング部２との間を含む。）を各リング部２を伸縮変形可能に連結するリング連結部３とを備え、伸縮部１の伸長により、各リング部２は伸長方向に対して交差する方向に長いリング形状から伸長方向に延びるリング形状に変形されるようになっている。
【００１６】
伸縮部１と各取付部４は一体又は別体に形成される。この場合、伸縮部１と各取付部４は、絶縁性に優れ、発色性がよいＥＰＤＭ（エチレンプロピレンジエンゴム）により、一体に、全体として細長く比較的幅を持つシート状に形成される。
【００１７】
伸縮部１において、各リング部２は伸縮方向に対して交差する方向に長い円形又は角形に形成され、各リング連結部３は各リング部２間において各リング部２の長さ方向中央に形成される。この場合、各リング部２は伸縮方向に対して直交する方向に細長い長円形（ここでは、特に、レーストラック形状）にかつ扁平状（薄肉）に形成され、各リング連結部３は伸縮部１の伸縮方向に対して直交する方向に少し幅広の略四角形にかつ各リング部２と同じ扁平状（薄肉）に形成される。なお、各リング部２の長さ（外周の長径）や幅（外周の短径）、さらに各取付部４を含めた全長は２部材の大きさや２部材間の間隔に応じて適宜設定される。また、この場合は、絶縁キャップ用として、各リング部２の長さ（外周の長径）は絶縁キャップの先端面の長さよりも少し短く、幅（外周の短径）は絶縁キャップの先端面の幅の半分よりも短く形成され、各取付部４を含めた全長は２つの絶縁キャップが被着される２つの電極端子間の寸法に応じて適宜決められる。なお、各リンク部２間で各リング連結部３の位置は任意である。つまり、各リンク部２間で各リング連結部３の位置は連結位置が１箇所であれば、連結位置はどこにあってもよい。例えば、各リング部２間で各リング連結部３が互い違いになるようにしてもよい。ただし、この伸縮コードＳを２部材間に連結したときの伸縮コードＳ全体の形状の安定性を考慮すると、各リング連結部３は各リング部２間において各リング部２の長さ方向中央に形成されることが望ましい。
【００１８】
各取付部４は全体が略四角形状に形成され、その略中央に取付穴４０が２部材に設けられる取付部（特に取付穴が係合される部分）の径又は幅及び長さと略同じ大きさ又は僅かに大きい大きさに形成される。この場合は、絶縁キャップ用として、各取付部４の長さは伸縮部１の各リング部２と同様に絶縁キャップの先端面の長さと同じで、幅が絶縁キャップの先端面の幅よりも大きい四角形状にかつ伸縮部１と同様に扁平状（薄肉）に形成され、取付穴４０は短径が絶縁キャップの先端面の取付部の軸の外径より少し大きくフランジの外径よりも少し小さく、長径がフランジの外径よりも少し大きい伸縮部１の伸縮方向に長い長円形（ここでは、特に、レーストラック形状）に開口される。なお、ここで各取付部４の取付穴４０は長円形（レーストラック形状）としたが、この取付穴４０の形状は任意であり、例えば円形の穴でも四角形の穴でもよい。ただし、絶縁キャップの取付部が丸棒状であれば、この取付部と取付穴４０が係合可能に取付穴４０の取付部に対する係合側の端部を半円状又は円弧状にするなど、取付穴４０の取付部に対する係合側の端部を取付部の断面形状に対応する形状に合わせることが好ましい。
【００１９】
なお、この伸縮コードＳの素材の色は、後述する絶縁キャップと同様に、黒、青、赤以外の色とし、この場合、黄緑色とした。この色については後述する。
【００２０】
このようにして伸縮コードＳは、ゴム材により、伸縮部１と、取付部４とを一体に形成されるので、金型成形により製作可能になっている。そして、この伸縮コードＳは２部材間に連結されて、伸縮部１の伸長により、各リング部２は伸長方向に対して交差する方向に長いリング形状から伸長方向に延びるリング形状に変形されるようになっている。そして、この伸縮コードＳは、電極端子に被着される２つの絶縁キャップの間に連結されて、導電板で電気的に接続される正極の電極端子と負極の電極端子を事前に示すコードとして使用される。
【００２１】
図２にこの伸縮コードの使用例として、２つの適切な電極端子に被着する２つの絶縁キャップを伸縮コードで繋ぐ場合を示している。
【００２２】
図２において、絶縁キャップＣは、各種の蓄電池に設けられる角型の電極端子に被覆して、角型の電極端子を絶縁するもので、全体が、絶縁性及び機械的特性を有する素材により、電極端子の外形に沿って僅かに遊びをもって外嵌可能に、一端に開口を有し、内部に角型の中空部を有するケース形状に形成されて、電極端子の先端面を被覆する先端面カバー部ｃ１と、電極端子の周囲を被覆する周囲カバー部ｃ２とを備えて構成される。また、先端面カバー部ｃ１には外面の中心に伸縮コードＳのための取付部ｃ３が設けられる。この取付部ｃ３は、先端面カバー部ｃ１の外面の中心から突出される軸部ｃ３１と、軸部ｃ３１の先端に外周方向に張り出されるフランジｃ３２とからなる。また、この絶縁キャップＣは全体が絶縁性及び強度、耐摩耗性など機械的特性を有する色付きの素材（ＰＰ（ポリプロピレン））により一体に形成される。また、素材の色は、黒、青、赤以外の色が好ましい。一般的に、電気コードで言えば、赤はプラスの電極、黒又は青はマイナスの電極と認識されており、また、蓄電池の電極端子のプラスは赤、マイナスは黒と色分けされる場合があり、電極の極性とは関係がないことを示すためである。この場合、素材の色を黄色とした。
【００２３】
この角型の絶縁キャップＣを蓄電池の角型の電極端子に取り付ける場合、絶縁キャップＣを角型の電極端子に上から被せて、電極端子の周囲を周囲カバーｃ２で被覆し、電極端子の先端面を先端面カバー部ｃ１で被覆する。このようにして絶縁キャップＣで電極端子を絶縁する。なお、絶縁キャップＣは、既述のとおり、色付き（この場合、黄色）になっているので、非接続の各電極端子に取り付けられた絶縁キャップＣは視認性に優れ、各電極端子が絶縁キャップＣにより絶縁処理されたことを（ユーザーが）容易に確認できる。また、絶縁キャップＣの色は黒、青、赤以外の色としてあることで、この絶縁キャップＣの色によって各電極端子間の接続形式（言い換えれば、どの電極端子とどの電極端子を繋ぐか）について誤った認識を（ユーザーに）生じさせることがない。
【００２４】
そして、この２つの絶縁キャップＣを伸縮コードＳで繋ぐ。この場合、各蓄電池間の適切な（電気的）接続となる一方の蓄電池の電極端子（正極）と他方の蓄電池の電極端子（負極）とを確認し、これらの電極端子を２つの絶縁キャップＣで被覆絶縁し、これら２つの絶縁キャップＣを伸縮コードＳで連結することにより、その後各蓄電池間を電気的に接続する場合に、２つの絶縁キャップＣ間の伸縮コードＳにより、適切な電極端子間の接続、つまり、どの電極端子とどの電極端子とを導電板で接続するかを視覚的に示すことができる。この場合、伸縮コードＳは伸縮部１の各リング部２が伸縮方向に対して交差方向に長い長円形で幅広になっているので、伸縮コードＳは全体が幅広に保持されて、伸縮コードＳの高い視認性が良好に維持される。また、この伸縮コードＳの伸縮により、各種の蓄電池毎に各電極端子間の間隔（寸法）が異なっていても、この伸縮コードＳの伸縮により、各電極端子間の間隔に対応することができる。また、この伸縮コードＳは両端の取付部４の取付穴４０が各絶縁キャップＣの取付部ｃ３に係止されるので、伸縮コードＳをこの取付部ｃ３を中心に回すことができ、これにより、伸縮コードＳの伸ばす方向が自由になり、各種の蓄電池毎に各電極端子の位置が異なっていても、伸縮コードＳの回転方向の動きにより、各電極端子の位置に対応することができる。この場合、２つの電極端子間の間隔が比較的大きく、２つの電極端子間で伸縮コードＳが比較的長く延ばされても、この伸縮コードＳはゴム自体の伸長というよりも、図３に示すように、各リング部１が伸長方向に対して交差（直交）する方向に長いリング形状（この場合、長円形（レーストラック形状）のリング形状）から伸長方向に延びるリング形状（この場合、略ひし形のリング形状）に変形されて伸長されるので、カールコードのように長く紐状に延びるのと異なり、伸縮コードＳは幅広に保持されて、伸縮コードＳの高い視認性は良好に維持される。また、この場合、各リング連結部３は各リング部２間において各リング部２の長さ方向中央に伸縮部１の伸縮方向に対して交差（直交）する方向に幅広に形成されるので、各リング部２が伸長方向に対して交差する方向に長いリング形状の場合でも、各リング部２が伸長方向に対して交差する方向から伸長方向に延びるリング形状の場合でも、伸縮コードＳ全体の形状を安定させて、伸縮コードＳの視認性が良好に維持される。さらに、この伸縮コードＳがゴム自体の伸長というよりも、各リング部２が伸長方向に対して交差する方向に長いリング形状から伸長方向に延びるリング形状に変形されて伸長されることで、伸縮コードＳが長く延ばされても、カールコードの場合と異なり、伸縮コードＳの収縮方向の力は小さく、伸縮コードＳで連結される２つの絶縁キャップＣが伸縮コードＳに引張られて２つの絶縁キャップＣの両方又は一方が電極端子から抜け外れるといったことがない。
【００２５】
また、伸縮コードＳの色もまた、黒、青、赤以外の色とし、この場合は黄緑色としてあるので、この伸縮コードＳの色によって電極端子間の接続形式（言い換えれば、どの電極端子とどの電極端子をどのように繋ぐか）について誤った認識を（ユーザーに）生じさせることがない。
【００２６】
この伸縮コードＳの各取付部４は長さが絶縁キャップＣの先端面カバー部ｃ１の長さよりも少し小さく、幅が絶縁キャップＣのの先端面カバー部ｃ１の幅よりも大きい四角形状で扁平状（薄肉）に形成され、取付穴４０は絶縁キャップＣの先端面カバー部ｃ１の取付部ｃ３の軸部ｃ３１の外径よりも少し大きくフランジｃ３２の外径よりも少し小さい伸縮部１の伸縮方向に長い長円形（ここでは、特に、レーストラック形状）に開口されて、比較的大きく形成されるので、この伸縮コードＳの絶縁キャップＣへの取り付けでは、各取付部４の四隅のいずれもが手の指先でつまみやすく、伸縮コードＳ両端の各取付部４の取付穴４０に先端面カバー部ｃ１の取付部ｃ３のフランジｃ３２を通しやすく軸部ｃ３１に掛けやすく、伸縮コードＳの各取付部４を絶縁キャップＣの取付部ｃ３に簡単に取り付けることができる。また反対に、この伸縮コードＳの絶縁キャップＣからの取り外しも同様に、容易に行うことができる。
【００２７】
以上説明したように、この伸縮コードＳによれば、伸縮部１が、ゴム材からなり、伸縮方向に対して交差する方向に長いリング形状に形成され、当該リング形状を伸縮方向に伸縮変形可能な複数のリング部２と、各リング部２間を各リング部２を伸縮変形可能に連結するリング連結部３とを備え、伸縮部１の伸長により、各リング部２が伸長方向に対して交差する方向に長いリング形状から伸長方向に延びるリング形状に変形されるので、この伸縮コードＳの簡単な構造により、製作を簡易にして製作コストの低減を図ることができ、２部材間に連結して当該２部材を関連付けるに際して、２部材間が離れて伸縮コードＳが延ばされても、各リング部２が伸長方向に延びるリング形状に変形され、伸縮コードＳの視認性を高めて、２部材の関連付けの表示効果を向上させることができ、また、伸縮コードＳが長く延ばされても、各リング部２が伸長方向に延びるリング形状に変形されることにより、伸縮コードＳの収縮方向の力は小さく、伸縮コードＳで連結される２部材の取り付け位置での取り付け状態が弱くても、伸縮コードＳに引張られて２つの絶縁キャップの両方又は一方が取り付け位置から抜け外れることがない。
【００２８】
また、この伸縮コードＳは、さらに次のような格別な効果を奏する。
（１）伸縮部１と各取付部４はゴム材により一体に形成されるので、伸縮コードＳ全体を金型成形により製作することができ、従来のカールコイルに比べて、製作コストを低く抑えることができる。
（２）各リング部２は伸縮方向に対して交差する方向に長い円形又は角形に形成されるので、各リング部２が伸長方向に対して交差する方向に長いリング形状の場合でも、各リング部２が伸長方向に対して交差する方向から伸長方向に延びるリング形状の場合でも、伸縮部１が幅広に保持されるので、伸縮コードＳの視認性を高めることができる。
（３）各リング連結部３は各リング部２間において各リング部２の長さ方向中央に形成されるので、各リング部２が伸長方向に対して交差する方向に長いリング形状の場合でも、各リング部２が伸長方向に対して交差する方向から伸長方向に延びるリング形状の場合でも、伸縮コードＳ全体の形状を安定させて、伸縮コードＳの視認性を良好に維持することができる。
（４）各リング連結部３は伸縮部１の伸縮方向に対して交差する方向に幅広に形成されるので、各リング部２が伸長方向に対して交差する方向に長いリング形状の場合でも、各リング部が伸長方向に対して交差する方向から伸長方向に延びるリング形状の場合でも、伸縮コードＳ全体の形状を安定させて、伸縮コードＳの視認性を良好に維持することができる。
（５）各取付部４は全体が四角形状に形成され、その略中央に取付穴４０が２部材に設けられる取付部の径又は幅及び長さと略同じ大きさ又は僅かに大きい大きさに形成されるので、各取付部４の四隅のいずれもを手の指先でつまみやすく、各取付部４の２部材への取り付け、取り外しを容易に行うことができる。
【００２９】
なお、この実施の形態では、伸縮部１と各取付部４は一体に形成されるものとしたが、伸縮部１と各取付部４は別体に形成されるものとしてもよい。この場合、例えば、伸縮部１はゴム材により上記と同様に形成され、各取付部４は伸縮先コードＳの使用先に応じて、合成樹脂材又は金属材又は木材により形成されて、伸縮部１と各取付部２が任意の接合手段で結合されてもよい。
【００３０】
また、この実施の形態で例示した伸縮コードＳから、設計を変更して、伸縮部の各リング部、各リング連結部に代えて、伸縮部をへび形若しくは波形に形成することが考えられるが、この場合、この伸縮部の形状が安定しないため、視認性の向上は難しく、外観上も好ましくない（見た目が悪い）。
【符号の説明】
【００３１】
Ｓ  伸縮コード
１  伸縮部
２  リング部
３  リング連結部
４  取付部
４０取付穴
Ｃ  絶縁キャップ
ｃ１  先端面カバー部
ｃ２  周囲カバー部
ｃ３  取付部
ｃ３１  軸部
ｃ３２  フランジ
【図１】
2020170606.tif 000003
【図２】
2020170606.tif 000004
【図３】
2020170606.tif 000005